(57)【要約】【課題】  ＬＥＤをズームレンズ付きカメラの補助照明に使う場合、照明不足になってしまった。【解決手段】  補助照明用の青色ＬＥＤ素子１０１の前面に、印加電圧ｖで光拡散率が変化する調光板１０５を有する拡散率可変ＬＥＤ１００を設けた。印加電圧がオフの場合、図４（ａ）の上側の様に、青色ＬＥＤ素子１０１から発した光は、蛍光体入り樹脂１０２を透過して調光板１０５の調光部１１０に達し、ごく一部が後方に反射し、大部分は前方に散乱しながら透過するので図４（ａ）の下側に示したラディエーション特性が得られる。印加電圧がハイの場合は、図４（ｃ）に示した様に殆ど全ての光がそのまま透過する。この結果、拡散率可変ＬＥＤ１００を備えた補助光装置９００をズームレンズ付きカメラに装着することで、ズーム情報で光拡散率を連続的に変化させ被写体を好適に照明することが可能となった。【選択図】    図４
2008281600.tif 000002
【特許請求の範囲】
【請求項１】
被写体の照明用としてＬＥＤ素子を用いたズームレンズ付きカメラの補助光装置において、該カメラ使用時に設定するズームに連動して、通常撮影時は、前記ＬＥＤ素子から発する補助光の拡散率を大きくし、拡大時は、前記補助光ＬＥＤから発する補助光の拡散率を小さくすることで、前記被写体への投光スポット面積を変えることを特徴とするズームレンズ付きカメラの補助光装置。
【請求項２】
液晶層を有する調光板の調光部を前記ＬＥＤ素子の前面に設け、カメラ使用時に設定するズームに連動しながら前記液晶層に印加する電圧を変えて調光部の光透過度を変えることにより、前記ＬＥＤ素子から発する補助光の拡散率を変えることを特徴とする請求項１に記載のズームレンズ付きカメラの補助光装置。
【請求項３】
光の反射性に優れ、且つ上方に向けて拡大する円錐穴を有する反射枠の底面に基板を設け、更に、前記円錐穴内の前記基板上に前記ＬＥＤ素子を取付け、更に、前記反射枠の上面に前記調光板を設けて、前記ＬＥＤ素子と前記調光板とを一体化した拡散率可変ＬＥＤを用いることを特徴とする請求項２に記載のズームレンズ付きカメラの補助光装置。
【請求項４】
前記調光板の調光部は、前記ＬＥＤ素子を側面から囲う前記反射枠の円錐穴の上方開口部に略対向する部分にだけ設けられていることを特徴とする請求項３に記載のズームレンズ付きカメラの補助光装置。
【請求項５】
前記液晶層への印加電圧電極用として前記調光板に設ける上側電極または下側電極の何れかを、該調光板の後方に設ける前記ＬＥＤ素子を中心にした複数個の同心円から成る電極パターンに形成して、前記液晶層に加わる電圧を該電極パターンに従って変化させることを特徴とする請求項２乃至４の何れか１項に記載のズームレンズ付きカメラの補助光装置。
【請求項６】
前記補助光装置の光源として、発光色が異なる複数のＬＥＤ素子を用い、且つ、前記液晶層への印加電圧電極用として、前記調光板に設ける上側電極または下側電極の何れかを、該調光板の後方に設ける前記複数のＬＥＤ素子を中心にした複数の同心円で合成する電極パターンに形成して、前記液晶層に加える電圧を該電極パターンに従って変化させることを特徴とする請求項２乃至４の何れか１項に記載のズームレンズ付きカメラの補助光装置。
【請求項７】
前記複数のＬＥＤ素子は、青色ＬＥＤ素子をイットリウム・アルミニウム・ガーネットから成る蛍光体入り樹脂で覆った白色発光部と、赤色ＬＥＤ素子であることを特徴とする請求項６に記載のズームレンズ付きカメラの補助光装置。
【請求項８】
前記複数のＬＥＤ素子は、青色ＬＥＤ素子をイットリウム・アルミニウム・ガーネットから成る蛍光体入り樹脂で覆った白色発光部と、赤色ＬＥＤ素子と、黄緑色ＬＥＤ素子または緑色ＬＥＤ素子であることを特徴とする請求項６に記載のズームレンズ付きカメラの補助光装置。
【請求項９】
前記複数のＬＥＤ素子は、青色ＬＥＤ素子をイットリウム・アルミニウム・ガーネットから成る蛍光体入り樹脂で覆った白色発光部と、赤色ＬＥＤ素子と、黄緑色ＬＥＤ素子または緑色ＬＥＤ素子であることを特徴とする請求項６に記載のズームレンズ付きカメラの補助光装置。
【請求項１０】
前記調光部に設けた液晶層への印加電圧導入端子と、前記基板側に設けた電源電圧出力端子とは、前記反射枠に設けたスルーホール電極を介して配線されていることを特徴とする請求項３乃至９の何れか１項に記載のズームレンズ付きカメラの補助光装置。
【請求項１１】
請求項１乃至１０の何れか１項に記載のズームレンズ付きカメラの補助光装置を備えたことを特徴とするズームレンズ付きカメラ。
【請求項１２】
請求項３乃至１０の何れか１項に記載したズームレンズ付きカメラの補助光装置に用いる拡散率可変ＬＥＤ。
【発明の詳細な説明】
【技術分野】
【０００１】
本発明は、携帯電話やデジタルカメラの補助光用の光源として発光ダイオード（以下、発光ダイオードを「ＬＥＤ」と称する）を用いたズームレンズ付きカメラの補助光装置及び、その補助光装置を備えたズームレンズ付きカメラ、及びその補助光装置に用いる拡散率可変ＬＥＤに関する。
【背景技術】
【０００２】
以下、背景技術を説明する。図１３は背景技術において、ズームレンズ付きカメラの補助光源用にＬＥＤを用いたカメラの模式平面図、図１４は、ＬＥＤを補助光源に用いたカメラの補助光装置の動作説明図である。
【０００３】
近年、デジタルカメラや、デジタルカメラを具備した携帯電話器において、写真撮影時の被写体補助照明用の光源としてＬＥＤが用いられるようになり、図１３を用いて例示した様な補助光ＬＥＤ１１をデジタルカメラ本体１０や、携帯電話機に一体的に装着することが行われている。ＬＥＤを補助光の光源としたカメラに関しては、下記の特許文献１で開示された技術がある。
【０００４】
【特許文献１】特開２００５−１６４９６３号公報
【０００５】
以下、図１４を用いながら、特許文献１で開示された補助光装置を説明する。
【０００６】
特許文献１で開示された背景技術の場合、被写体照明用の光源となるＬＥＤ光を効率良く取り出して、暗所における被写体照度を高めるため、ＬＥＤ２の前方にレンズ９とウインドウ６を設けている。また、レンズ９とウインドウ６の間に設けた電子シャッター８は、照明光の透過と規制をコントロールする光透過規制手段であり、この、電子シャッター８を設けることで、ＬＥＤ２の点灯時はＬＥＤ光７をそのまま透過し、ＬＥＤ２の非点灯時は、ウインドウ６越しにＬＥＤ２が透けて見えない様にして、デザイン性と照明性を両立させていた。
【０００７】
電子シャッター８は、液晶シートとこの液晶シートを挟み込んだ２枚の板ガラスで構成され、２枚の板ガラス間に電圧を掛けると液晶が一方向に整列して電子シャッター８が透明状態になり、また、電圧を掛けないと液晶が不規則に並んで電子シャッター８は不透明状態になった。そして、撮影しない状態、即ちＬＥＤ２が非点灯の状態では、制御回路３によって電子シャッター８を閉じ、これによって、ウインドウ６越しにＬＥＤ２が透けて見えることを防止し、撮影する場合、即ちＬＥＤ２を点灯させる場合は、制御回路３によって、電子シャッター８を開き、ＬＥＤ光７をそのまま照射し、被写体を明るく照らす事が出来た。
【発明の開示】
【発明が解決しようとする課題】
【０００８】
撮影時の補助照明用光源として、一定の光量しか放出できないＬＥＤを使う従来のカメラにおいては、被写体が比較的遠方に存在し、かつ照度が不足していた場合、たとえ補助照明を用いても撮影画像が暗くなってしまう傾向は避け避け難かった。特に被写体までの距離が長くなるズームレンズ付きカメラの場合、この不具合は一層顕著になり、ズームレンズ付きカメラでは、カメラと一体的に装着したＬＥＤを使う補助光装置は事実上使用することはできなかった。そこで、この様な場合は、分離型の補助光装置を用いざるを得なかったが、利便性の点で課題が残されたままだった。
【課題を解決するための手段】
【０００９】
本発明は上記課題を解決するために成されたものである。解決する手段として、本発明の請求項１記載に係わる発明は、被写体の照明用としてＬＥＤ素子を用いたズームレンズ付きカメラの補助光装置において、該カメラ使用時に設定するズームに連動して、通常撮影時は、前記ＬＥＤ素子から発する補助光の拡散率を大きくし、拡大時は、前記補助光ＬＥＤから発する補助光の拡散率を小さくすることで、前記被写体への投光スポット面積を変えることを特徴とするズームレンズ付きカメラの補助光装置である。
【００１０】
また、本発明の請求項２記載に係わる発明は、液晶層を有する調光板の調光部を前記ＬＥＤ素子の前面に設け、カメラ使用時に設定するズームに連動しながら前記液晶層に印加する電圧を変えて調光部の光透過度を変えることにより、前記ＬＥＤ素子から発する補助光の拡散率を変えることを特徴とする請求項１に記載のズームレンズ付きカメラの補助光装置である。
【００１１】
また、本発明の請求項３記載に係わる発明は、光の反射性に優れ、且つ上方に向けて拡大する円錐穴を有する反射枠の底面に基板を設け、更に、前記円錐穴内の前記基板上に前記ＬＥＤ素子を取付け、更に、前記反射枠の上面に前記調光板を設けて、前記ＬＥＤ素子と前記調光板とを一体化した拡散率可変ＬＥＤを用いることを特徴とする請求項２に記載のズームレンズ付きカメラの補助光装置である。
【００１２】
また、本発明の請求項４記載に係わる発明は、前記調光板の調光部は、前記ＬＥＤ素子を側面から囲う前記反射枠の円錐穴の上方開口部に略対向する部分にだけ設けられていることを特徴とする請求項３に記載のズームレンズ付きカメラの補助光装置である。
【００１３】
また、本発明の請求項５記載に係わる発明は、前記液晶層への印加電圧電極用として前記調光板に設ける上側または下側電極の何れかを、該調光板の後方に設ける前記ＬＥＤ素子を中心にした複数個の同心円から成る電極パターンに形成して、前記液晶層に加わる電圧を該電極パターンに従って変化させることを特徴とする請求項２乃至４の何れか１項に記載のズームレンズ付きカメラの補助光装置である。
【００１４】
また、本発明の請求項６記載に係わる発明は、前記補助光装置の光源として、発光色が異なる複数のＬＥＤ素子を用い、且つ、前記液晶層への印加電圧電極用として、前記調光板に設ける上側電極または下側電極の何れかを、該調光板の後方に設ける前記複数のＬＥＤ素子を中心にした複数の同心円で合成する電極パターンに形成して、前記液晶層に加える電圧を該電極パターンに従って変化させることを特徴とする請求項２乃至４の何れか１項に記載のズームレンズ付きカメラの補助光装置である。
【００１５】
また、本発明の請求項７記載に係わる発明は、前記複数のＬＥＤ素子は、青色ＬＥＤ素子をイットリウム・アルミニウム・ガーネットから成る蛍光体入り樹脂で覆った白色発光部と、赤色ＬＥＤ素子であることを特徴とする請求項６に記載のズームレンズ付きカメラの補助光装置である。
【００１６】
また、本発明の請求項８記載に係わる発明は、前記複数のＬＥＤ素子は、青色ＬＥＤ素子をイットリウム・アルミニウム・ガーネットから成る蛍光体入り樹脂で覆った白色発光部と、赤色ＬＥＤ素子と、黄緑色ＬＥＤ素子または緑色ＬＥＤ素子であることを特徴とする請求項６に記載のズームレンズ付きカメラの補助光装置である。
【００１７】
また、本発明の請求項９記載に係わる発明は、前記複数のＬＥＤ素子は、青色ＬＥＤ素子をイットリウム・アルミニウム・ガーネットから成る蛍光体入り樹脂で覆った白色発光部と、赤色ＬＥＤ素子と、黄緑色ＬＥＤ素子または緑色ＬＥＤ素子であることを特徴とする請求項６に記載のズームレンズ付きカメラの補助光装置である。
【００１８】
また、本発明の請求項１０記載に係わる発明は、前記調光部に設けた液晶層への印加電圧導入端子と、前記基板側に設けた電源電圧出力端子とは、前記反射枠に設けたスルーホール電極を介して配線されていることを特徴とする請求項３乃至９の何れか１項に記載のズームレンズ付きカメラの補助光装置である。
【００１９】
また、本発明の請求項１１記載に係わる発明は、請求項１乃至１０の何れか１項に記載のズームレンズ付きカメラの補助光装置を備えたことを特徴とするズームレンズ付きカメラである。
【００２０】
また、本発明の請求項１２記載に係わる発明は、請求項３乃至１０の何れか１項に記載したズームレンズ付きカメラの補助光装置に用いる拡散率可変ＬＥＤである。
【発明の効果】
【００２１】
発明の効果として、請求項１記載に係わる本発明のズームレンズ付きカメラの補助光装置を用いることにより、カメラ使用時に設定するズームに連動して、補助光の拡散率を変えることで、ＬＥＤ素子を補助光装置に用いるズームレンズ付きカメラでも、適度な明るさの画像を撮影することが可能になった。
【００２２】
発明の効果として、請求項２記載に係わる本発明のズームレンズ付きカメラの補助光装置は、印加電圧値によって、ＬＥＤ素子から発する補助光の拡散率を容易に変更でき、その結果、ズームレンズ付きカメラでズームが変った場合の、補助光効果劣化防止がたやすくなった。また、ＬＥＤ非点灯時は、調光部が不透明になるのでＬＥＤが透けて見えず、カメラのデザイン性を向上する効果も生じた。
【００２３】
発明の効果として、請求項３記載に係わる本発明のズームレンズ付きカメラの補助光装置は、光の反射性に優れ、且つ上方に向けて拡大する円錐穴を有する反射枠の底面に基板を設け、更に、前記円錐穴内の前記基板上にＬＥＤ素子を取付け、更に、前記反射枠の上面に前記調光板を設けて、前記ＬＥＤ素子と前記調光板とを一体化したので、補助光装置としてコンパクトに纏まり、また量産時の生産管理や組み付け等が便利になった。
【００２４】
発明の効果として、請求項４記載に係わる本発明のズームレンズ付きカメラの補助光装置は、調光板の調光部を、ＬＥＤ素子を側面から囲う反射枠の円錐穴の上方開口部に対向する部分にだけ設けたので、調光板の生産に際して、調光板を集合体で加工した後、ダイシングにより単品化する時、調光部の切断による液晶層の損傷が防止され、調光板の歩留まりが向上した。
【００２５】
発明の効果として、請求項５記載に係わる本発明のズームレンズ付きカメラの補助光装置は、液晶層への印加電圧電極用として前記調光板に設ける上側電極または下側電極の何れかを、調光板の後方に設けるＬＥＤ素子を中心にした複数個の同心円から成る電極パターンに形成して、液晶層に加わる電圧を該電極パターンに従って変化させるようにしたので、より細かく補助光の拡散度合いが調整できるようになった。 
【００２６】
発明の効果として、請求項６記載に係わる本発明のズームレンズ付きカメラの補助光装置は、補助光装置の光源として、発光色が異なる複数のＬＥＤ素子を用い、且つ、液晶層への印加電圧電極用として、調光板に設ける上側電極または下側電極の何れかを、調光板の後方に設ける複数のＬＥＤ素子を中心にした複数の同心円で合成する電極パターンに形成して、液晶層に加える電圧を該電極パターンに従って変化させるので、より細かく補助光の拡散度合いや混合具合を調整でき補助光の演色性が向上した。
【００２７】
発明の効果として、請求項７記載に係わる本発明のズームレンズ付きカメラの補助光装置は、ＬＥＤ素子が、青色ＬＥＤ素子とイットリウム・アルミニウム・ガーネットから成る白色発光部と、赤色ＬＥＤ素子から成るので、ＬＥＤ素子発光時の補助光の演色性が向上し、かつＬＥＤが点灯している時も、赤色を目立たなくすることができた。また、ＬＥＤ素子が非発光時は、調光部によってＬＥＤ素子が見えなくなり、その結果、ＣＣＤ素子を補助光源に用いたズームレンズ付きカメラを備えた携帯電話やデジタルカメラのデザイン上の商品価値を高めることができた。
【００２８】
発明の効果として、請求項８記載に係わる本発明のズームレンズ付きカメラの補助光装置は、ＬＥＤ素子が、青色ＬＥＤ素子とイットリウム・アルミニウム・ガーネットから成る白色発光部と、赤色ＬＥＤ素子と、黄緑色ＬＥＤ素子または緑色ＬＥＤ素子から成るので、補助光の演色性が向上した。また、ＬＥＤ素子が非発光時は、調光部によってＬＥＤ素子が見えなくなり、その結果、ＣＣＤ素子を補助光源に用いたズームレンズ付きカメラを備えた携帯電話やデジタルカメラのデザイン上の商品価値を高めることができた。
【００２９】
発明の効果として、請求項９記載に係わる本発明のズームレンズ付きカメラの補助光装置は、ＬＥＤ素子が、青色ＬＥＤ素子と、赤色ＬＥＤ素子と、黄緑色ＬＥＤ素子または緑色ＬＥＤ素子から成るので、補助光の演色性が向上した。また、ＬＥＤ素子が非発光時は、調光部によってＬＥＤ素子が見えなくなり、その結果、ＣＣＤ素子を補助光源に用いたズームレンズ付きカメラを備えた携帯電話やデジタルカメラのデザイン上の商品価値を高めることができた。
【００３０】
発明の効果として、請求項１０記載に係わる本発明のズームレンズ付きカメラの補助光装置は、調光部に設けた液晶層への印加電圧導入端子と、前記基板側に設けた電源電圧出力端子とは、反射枠に設けたスルーホール電極を介して配線されているので、配線を含めた、ＬＥＤ素子と調光板とのユニット化が実現し、補助光装置の取り扱いが便利になった。
【００３１】
発明の効果として、請求項１１記載に係わる本発明のズームレンズ付きカメラを用いると、照度不足な被写体を、撮影する場合も、被写体までの距離に影響されない好適な写真の撮影が、ＬＥＤ素子を発光源とする補助光で可能となり、また、補助光装置がコンパクトなので、実用性の高い補助光装置一体型のズームレンズ付きカメラが可能となり、携帯電話やデジタルカメラの活用範囲が拡大した。また、ＬＥＤ素子の非点灯時、調光板によってＬＥＤ素子が見えなくなることで、携帯電話やデジタルカメラのデザイン上での商品価値を高めることができた。
【００３２】
発明の効果として、請求項１２記載に係わる本発明の拡散率可変ＬＥＤを用いることで、ズーム挙動に追従した適正な明度の画像が撮影可能なズームレンズ付きカメラの補助光装置が実現化した。また、拡散率可変ＬＥＤは、小型であり、携帯電話やデジタルカメラにコンパクトに装着することが可能となった。
【発明を実施するための最良の形態】
【００３３】
次に本発明を実施するための最良の形態（以下、「実施形態」と略す）を、図１〜図４を用いて説明する。図１は本発明の実施形態における拡散率可変ＬＥＤの説明図で、図１（ａ）は拡散率可変ＬＥＤの縦断面図、図１（ｂ）は図１（ａ）の拡散率可変ＬＥＤのＡ−Ａ断面図、図１（ｃ）は図１（ａ）の拡散率可変ＬＥＤに用いる調光板の平面図、図１（ｄ）は図１（ｃ）の調光板の一部拡大断面図、図２は、本発明の実施形態における拡散率可変ＬＥＤに用いる調光板への印加電圧用の配線説明図、図３は本発明の実施形態における調光板の液晶層へ印加電圧を付加した場合の光線の透過、拡散説明図で、図３（ａ）は液晶層へ印加電圧を加えない場合、図３（ｂ）は液晶層へ印加電圧を加えた場合、図４は、本発明の実施形態における補助光装置の光拡散機能説明図で、図４（ａ）は印加電圧がオフの場合、図４（ｂ）は印加電圧がミドルの場合、図４（ｃ）は印加電圧がハイの場合である。
【００３４】
先ず、図１（ａ）〜図１（ｄ）を用いながら、実施形態における拡散率可変ＬＥＤ１００の全体構成を説明する。拡散率可変ＬＥＤ１００は、上方に向けて拡大する円錐穴１０４Ｈを有する反射枠１０４の底面側に基板１０３を設け、また、円錐穴１０４Ｈ内の基板１０３上には蛍光体入り樹脂１０２で被覆した青色ＬＥＤ素子１０１である白色発光部１０１Ｗを取付け、更に、前記反射枠１０４の上側には調光板１０５を設けてある。
【００３５】
イットリウムとアルミニウムの複合酸化物から成るガーネット構造をした結晶であるＹＡＧ（イットリウム・アルミニウム・ガーネットの英文頭文字）は、青色ＬＥＤ素子１０１をＹＡＧ系の蛍光体入り樹脂１０２で覆い、波長変換された黄色と、透過してきた青色を混色することで白色発光を得ることができる。また、反射枠１０４には樹脂材を用い、円錐穴１０４Ｈの内面と、円錐穴１０４Ｈの底面に露出する基板１０３の上面には、光の反射性を増す為、ＡｌまたはＡｇメッキが施してある。また、調光板１０５は複数の材料による積層構造をしており、液晶を主な構成要素とする調光部１１０が設けてある。
【００３６】
次に調光板１１０の構成を図１（ｄ）を用いながら説明する。調光板１０５の主要部を成す調光部１１０は、ネマティック液晶１１１の小滴であるカプセル１１２が分散した透明なポリマー１１３のフィルム（これを、本出願では「液晶層１２０」と呼ぶ）を、透明導電膜である上側電極１１４Ｕと下側電極１１４Ｄが付いたポリエステルフィルム１１５Ｕ、１１５Ｄで挟んだものである。（この様な製品は、商品名「ウムフィルム」として日本板ガラスウムプロダクツ株式会社から市販されている。）調光板１０５は、この調光部１１０を二枚の正方形の透明なガラス板１２２Ｕ、１２２Ｓの間に挟み込んで、シール材１２１によって、調光部１１０の周囲をガラス板１２２Ｕ、１２２Ｓに接着封止した物である。
【００３７】
調光板１０５の調光部１１０に、図３で示した様な平行光線９０６が入射する時、入射平行光線９０６が辿る経路を、調光部１１０の透明導電膜である上側電極１１４Uと、下側電極１１４Ｄに電圧が印加されている場合と、電圧が印加されていない場合で対比しながら説明する。先ず、上側電極１１４Uと下側電極１１４Ｄ間に電圧が印加されていない状態では、図３（ａ）に示した様に、棒状の分子として表された液晶１１１は、カプセル１１２の内壁に沿って並んでいる。この状態では、調光部１１０に入射した平行光線９０６は、ポリマー１１３と液晶１１１の屈折率の違い、および、液晶１１１の復屈折性によって、カプセル１１２の表面や内部で屈折する。この結果、平行光線９０６は直進できず散乱する。（その結果、調光部１１０は不透明に見える。）
【００３８】
一方、上側電極１１４Uと下側電極１１４Ｄ間に電圧が印加されると、図３（ｂ）に示した様に、液晶１１１の分子は電圧を印加した方向と平行に並ぼうとするため、電極に対し垂直に配列する。このように並んだ状態で、液晶１１１とポリマー１１３の屈折率とが一致する様に組み合わせてあればカプセル１１２は界面が無いと等しい状態になり平行光線９０６は散乱せずに直進する。（その結果、調光部１１０は透明に見える）
【００３９】
実施形態における調光部１１０への印加電圧の掛け方を、図２を用いて説明する。印加電圧回路には電圧源９０１と抵抗９０２と、スイッチＳＷが接続されている。また、抵抗９０２の下端部は、下側電極と配線９０４で導通し、抵抗９０２は途中で、上側電極に配線９０３で導通している。スイッチＳＷをオンにしておくと、抵抗９０２途中の接点は、装着するカメラのズーム情報９０５に基づいて抵抗９０２上を移動し、上側電極への印加電圧値を変化させている。
【００４０】
以上の説明を踏まえ、次に、図４を用いて、本発明の実施形態における拡散率可変ＬＥＤ１００を備えた補助光装置９００の光拡散機能を、典型的な三通りに分けて説明する。図４（ａ）は、調光板１０５への印加電圧がオフの場合、図４（ｂ）は、調光板１０５への印加電圧がミドルの場合、図４（ｃ）は、調光板１０５への印加電圧がハイの場合である。何れの場合も青色ＬＥＤ素子１０１から発する光の量と方向は一定である。しかし、調光板１０５に掛ける印加電圧が異なると、調光板１０５を通過する光りの拡散率が異ってくる。
【００４１】
即ち、印加電圧がオフの場合、図４（ａ）の上側に示した様に、青色ＬＥＤ素子１０１から発した光は、蛍光体入り樹脂１０２を透過して、更に前方に直進して、調光板１０５の調光部１１０に達する。そして、ごく一部は後方に反射するが、大部分は前方に散乱しながら透過する。この場合の模式ラディエーション特性図は図４（ａ）の下側に示した様な傾向になる。
【００４２】
また、印加電圧がハイの場合、図４（ｃ）の上側に示した様に、青色ＬＥＤ素子１０１から発した光は、蛍光体入り樹脂１０２を透過して、更に前方に直進して、調光板１０５の調光部１１０に達する。そして、殆ど全ての光がそのまま透過する。この場合の模式ラディエーション特性図は図４（ｃ）の下側に示した様な傾向になる。
【００４３】
先の二例の中間的状態、即ち印加電圧がミドルの場合、図４（ｂ）の上側に示した様に、青色ＬＥＤ素子１０１から発した光は、蛍光体入り樹脂１０２を透過して、更に前方に直進して、調光板１０５の調光部１１０に達する。そして、一部は後方に反射し、一部は前方に散乱ながら透過する。この場合の模式ラディエーション特性図は図４（ｂ）の下側に示した様な傾向になる。
【００４４】
次に、実施形態の効果の説明に移る。上述した様な機能を有する拡散率可変ＬＥＤを備えた補助光装置をズームレンズ付きカメラに装着すると、カメラのズーム情報によって、ＣＣＤ素子を補助光源に用いた光の拡散率を連続的に変化させながら、被写体を照明することができた。この結果、照度不足な被写体を、ズームレンズ付きカメラで撮影する場合も、被写体までの距離の影響を受け難い好適な写真の撮影が可能となった。
【００４５】
また、実施形態で示した本発明の拡散率可変ＬＥＤは、小型であり、携帯電話やデジタルカメラにコンパクトに装着することが可能である。その結果、実用性の高い補助光装置一体型のズームレンズ付きカメラが可能になり、携帯電話やデジタルカメラの活用範囲が拡大する効果を生じた。
【００４６】
また、実施形態で示した本発明の拡散率可変ＬＥＤは、点灯して無い時に白くなっているから、蛍光体の黄色が見えなくなり、その結果、ＣＣＤ素子を補助光源に用いたズームレンズ付きカメラを備えた携帯電話やデジタルカメラのデザイン上の商品価値を高める効果も生じた。
【００４７】
次に本発明の実施例を、図５〜図１１を用いて説明する。図５は本発明の実施例１における調光板を示し、図５（ａ）は調光板の平面図、図５（ｂ）は図５（ａ）の調光板のＡ−Ａ断面図、図５（ｃ）は図５（ｂ）の調光板のＢ部拡大図、図６は本発明の実施例２における拡散率可変ＬＥＤを示し、図６（ａ）は拡散率可変ＬＥＤの縦断面図、図６（ｂ）は図６（ａ）の拡散率可変ＬＥＤに用いた調光板の上部電極のパターン図、図６（ｃ）は図６（ｂ）の調光板のＢ−Ｂ拡大断面図、図６（ｄ）は図６（ａ）の拡散率可変ＬＥＤのＡ−Ａ断面図、図７は実施例２に用いるスルーホール電極を有する反射枠の製造工程説明図で、図７（ａ）は反射枠用ブランクのダイシング加工時の斜視図、図７（ｂ）はダイシング加工済みの反射枠のスルーホール電極部拡大斜視図、図８は実施例２のスルーホール電極に用いた上部電極への配線パターンの平面図、図９は実施例２の上部電極パターン並びに下部電極パターンへの印加電圧用配線説明図、図１０は実施例２における印加電圧と液晶層の説明図で、図１０（ａ）は印加電圧特性図、図１０（ｂ）は図１０（ａ）の印加電圧特性に対応する調光板の液晶層の断面模式図、図１１は本発明の実施例３における拡散率可変ＬＥＤを示し、図１１（ａ）は拡散率可変ＬＥＤの縦断面図、図１１（ｂ）は図１１（ａ）の拡散率可変ＬＥＤのＡ−Ａ断面図、図１１（ｃ）は図１１（ａ）の拡散率可変ＬＥＤに用いた調光板の上部電極のパターン図、図１２は本発明の実施例３および実施例４における分光分布の模式説明図で、図１２（a）は自然太陽光の分光分布を、図１２（ｂ）は、実施例３において拡散率可変ＬＥＤの発光素子として青色＋ＹＡＧを用いた場合の補助光の分光分布を、図１２（ｃ）は実施例４において拡散率可変ＬＥＤの発光素子として青色＋ＹＡＧと共に赤色ＬＥＤ素子並びに黄緑色ＬＥＤ素子または緑色ＬＥＤ素子を用いた場合の分光分布である。
【実施例１】
【００４８】
先ず、図５を用いて本発明の実施例１を説明する。実施例１の構成を既に説明した実施形態の場合と比較すると、実施例１の調光板２０５の特徴は、調光部２１０を調光板２０５の中央部だけに円形に設けた点にある。実施例１における拡散率可変ＬＥＤの、それ以外の構成は、実施形態の場合と全く同一であるので、実施例１においては、調光板２０５以外の説明は省略する。
【００４９】
実施例１では図５（ａ）に示した様に、四角の調光板２０５の中央に調光部２１０を円形に設けてある。そして、図５（ｂ）で示した様に調光部２１０の外周はシール材２２１で封止している。即ち、調光部２１０は、ネマティック液晶１１１の小滴であるカプセル１１２が分散した透明なポリマーフィルム１１３を二枚の透明導電膜２１５Ｕ、２１５Ｄ付きのポリエステルフィルム２１５、２１５で挟んだもので、調光板２０５は、この調光部２１０を二枚の透明なガラス板２２２Ｕ、２２２Ｄの間に挟み込んで、シール材２２１によって、この調光部２１０の周囲をガラス板２２２Ｕ、２２２Ｄに接着封止している。
【００５０】
次に実施例１の効果の説明に移る。
実施例１の場合、実施形態の場合の効果と同様に、この様な拡散率可変ＬＥＤを備えた補助光装置をズームレンズ付きカメラに装着すると、カメラのズーム情報によって、ＣＣＤ素子を補助光源に用いた光の拡散率を連続的に変化させながら、被写体を照明することができ、照度不足な被写体を、ズームレンズ付きカメラで撮影する場合も、被写体までの距離の影響を受け難い好適な写真撮影が可能となった。また、実施形態で示した拡散率可変ＬＥＤは、小型であるから、携帯電話やデジタルカメラにコンパクトに装着することが可能であり、実用性の高い補助光装置一体型のズームレンズ付きカメラが可能となった。また発光素子が点灯して無い時は、調光部は白くなっているから、蛍光体の黄色が見えない効果も実施形態の場合と同一である。尚、調光板に求められる調光機能は、実施例１の様に、反射枠の開口対向部だけ調光部を設けるだけでその効果を果たせるが、その場合、実施例１に特有の効果として、調光板の生産に際して、調光板を集合体で加工した後、ダイシングにより単品化する時、調光部の切断による液晶層の損傷が防止され、その結果、調光板の歩留まりが向上する効果が得られた。
【実施例２】
【００５１】
次に実施例２の説明に移る。先ず、実施例２の拡散率可変ＬＥＤ３００の全体構成を、図６（ａ）〜図６（ｄ）を用いながら説明する。
【００５２】
実施例２における拡散率可変ＬＥＤ３００は、上方に向けて拡大する円錐穴３０４Ｈを有する反射枠３０４の底面側に基板３０３を設け、また、円錐穴３０４Ｈ内の基板３０３上には蛍光体入り樹脂３０２で被覆した白色発光部３０１Ｗとなる青色ＬＥＤ素子３０１を取付け、更に、前記反射枠３０４の上側には調光板３０５を設けてある。そして、反射枠３０４には樹脂材を用い、そして、光の反射性を増すため、円錐穴３０４Ｈの内面と、円錐穴３０４Ｈ底面に露出する基板３０３の上面は、メッキによりコーティングしてある。また、調光板３０５は積層構造をしており、液晶を主な構成要素とする調光部３１０が設けてある。既に説明した実施形態と比較した場合、実施例２の特徴は、調光板３０５並びに反射枠３０４にあるので、先ず、調光板３０５の構成を図６（ｂ）と図６（ｃ）とを用いながら説明する。
【００５３】
実施例２の調光板３０５の主要部を成す調光部３１０は、ネマティック液晶１１１の小滴であるカプセル１１２が分散した透明なポリマーフィルム１１３（液晶層）を透明導電膜付きの二枚のポリエステルフィルムで挟んだものである。調光板３０５は、この調光部３１０を二枚の透明なガラス板２２２Ｕ、２２２Ｄの間に挟み込んで、シール材２２１によって、この調光部３１０の周囲をガラス板２２２Ｕ、２２２Ｄに接着封止した物で、ガラス板２２２Ｕ、２２２Ｄの平面形状は正方形を、調光部３１０の平面形状は円形をしている。尚、実施例２の調光板３０５の特徴は、この透明導電膜の構成にある。
【００５４】
実施例２の調光板３０５に設けた透明導電膜である上側電極３１4Uの平面形状は、図６（ｂ）に示した様な複数の同心円状に分離した複数の電極パターン（内側から外側に向けて、３１４C１、３１４C２、３１４C３、３１４C４、３１４C５）から成る。尚、同じく透明導電薄膜からなる下側電極３１4Dの平面形状は、電極パターン３１４C５の外形と略同一の直径を有する単一の円形をしている。
【００５５】
この様な、形状を有する上側電極３１4Uと下側電極３１4Dへの印加電圧配線を、図９を用いながら説明する。実施例２では、同心円状に分離した複数の上側電極３１4Uに、可変電圧源８０１から、夫々異なった電位を印加している。即ち、複数個の上側電極３１4Uの内、同心円の中心部に配置された電極パターン３１４C１は抵抗８０２の最下端部と導通させ、最外周部の同心円に配置された電極パターン３１４C５は抵抗の最上端部で導通させながら電圧を印加している。それ以外の上側電極パターン即ち、３１４C２〜３１４C４に対しては、その配列順に従って、抵抗８０２の最下端部から最上端部側に向けたそれぞれの位置で抵抗８０２と導通させながら電圧を印加している。また、下側電極３１４Ｄには、中心部の同心円に配置された上側電極パターン３１４C１と同電位の電圧を印加している。
【００５６】
次に図６（ｄ）を用いながら反射枠３０４の説明を行う。実施例２における反射枠３０４の基本構成は、実施形態の場合と同一である。即ち、反射枠３０４の基材には樹脂を用い、そして、光の反射性を増す必要上、円錐穴３０４Ｈの内面と、円錐穴３０４Ｈ底面に露出する基板３０３の上面は、メッキ（ＡｌまたはＡｇ）によりコーティングしてある。実施例２で用いる反射枠３０４が、実施形態における反射枠１０４と相違するのは、実施例２の反射枠３０４の周辺部に8個のスルーホール電極（３１４Ｔ１〜３１４Ｔ５、３１４ＴＤ、３１４ＴＹ１、３１４ＴＹ２）が設けられていることである。スルーホール電極は、基材に半円形や４分の１円形の貫通穴を設け、その貫通穴の内面に導電性の良い金属でメッキを施し、このメッキ部分を貫通穴の底面と上面間の配線として使用するものである。実施例２では、このスルーホール電極（３１４Ｔ１〜３１４Ｔ５、３１４ＴＤ、３１４ＴＹ１、３１４ＴＹ２）を、基板３０３側に配置した可変電圧源８０１から調光板３０５の図９を用いて説明した上側電極パターン３１４Ｕ及び下側電極３１４Ｄへの印加電圧用の配線として用いている。
【００５７】
次に、図６（ｄ）で示した実施例２のスルーホール電極（３１４Ｔ１〜３１４Ｔ５、３１４ＴＤ、３１４ＴＹ１、３１４ＴＹ２）を有する反射枠３０４の量産時の製造方法を、図７（ａ）と図７（ｂ）を用いながら説明する。先ず、樹脂材を用いて、複数個の反射枠３０４を一体化したブランク材を射出成形で加工する。即ち、中央の円錐穴３０４Ｈを囲んで、８個のスルーホール電極用の貫通穴３１４ＴＨを配置した形を基本形にして、この基本形を四方に連続して複数個配置した物が実施例２の反射枠３０４のブランク材となる。次工程で、このブランク材の円錐穴３０４Ｈとスルーホール電極用の貫通穴３１４ＴＨにメッキ加工（ＡｌまたはＡｇ）を施した後、更にダイシングラインＤＬから切断すると図７（ｂ）に拡大して示した様なスルーホール電極３１４Ｔの付いた一個毎の反射枠３０４が得られる。尚、メッキの材質は、円錐穴３０４Ｈとスルーホール電極用の貫通穴３１４ＴＨを別工程でメッキ処理を行う場合は、円錐穴３０４ＨはＡｌまたはＡｇを、スルーホール電極用の貫通穴３１４ＴＨにはＣu＋Ｎｉ＋Ａｕを用いれば良いが、処理工程の省力化を優先させれば、Ｃu＋Ａｇで一緒にメッキ処理することも可能である。
【００５８】
実施例２において、このスルーホール電極（３１４Ｔ１〜３１４Ｔ５、３１４ＴＤ、３１４ＴＹ１、３１４ＴＹ２）を利用する場合の上側電極３１４Uへの実態配線を、図８を用いながら説明する。実施例２では、上側電極３１４Uの同心円状に分離した複数の電極パターン（３１４C１、３１４C２、３１４C３、３１４C４、３１４C５）の内、同心円の中心部に配置された電極パターン３１４C１は、スルーホール電極３１４Ｔ１と、電極パターン３１４C２は、スルーホール電極３１４Ｔ２と、電極パターン３１４C３は、スルーホール電極３１４Ｔ３と、電極パターン３１４C４は、スルーホール電極３１４Ｔ４と、最外周部の同心円に配置された電極パターン３１４C５は、スルーホール電極３１４Ｔ５と、また下側電極３１４Ｄはスルーホール電極３１４ＴＤと導通している。尚、２個のスルーホール電極３１４ＴＹ１、３１４ＴＹ２は予備として残してある。
【００５９】
そして、調光板３１０の上側電極３１４Uの各電極パターンへ、図１０（ｂ）で示した様な印加電圧を掛ける事で、図１０（ａ）に模式的に示した様に液晶の配列を中心からの距離に応じて徐々に変化させることが可能になる。
【００６０】
次に実施例２の効果の説明に移る。この様な拡散率可変ＬＥＤを用いた補助光装置をカメラに装着すると、装着するカメラのズーム情報に基づいて可変電圧源から出る電圧が変化し、上側電極への印加電圧値を変化させることが可能になる。その結果、実施形態の場合と同様の効果、即ち、ＣＣＤ素子を用いた補助光源からの光の拡散率を、ズーム情報に基づいて連続的に変化させながら被写体を照明することが可能になり、ズームレンズ付きカメラでの好適な写真撮影が可能となり、また、拡散率可変ＬＥＤは、小型であるから、携帯電話やデジタルカメラにコンパクトに装着することが可能であり、実用性の高い補助光装置一体型のズームレンズ付きカメラが可能となった。また、発光素子が点灯して無い時は、調光部が白くなっているから、蛍光体の黄色が見えない効果も実施形態の場合と同一である。
【００６１】
実施例２の場合は、これらの効果に加えて、上側の透明電極を同心円状に分離して設ける事で、上側電極への印加電圧の値をＬＥＤ素子の中心からの距離に応じて変えることが可能になった。その結果、液晶の配列を中心からの距離に応じて徐々に変化させることで、より細かく補助光の拡散度合いを調整できるようになった。即ち、補助光の拡散度合いを段階的に変ることで、発光が真中で強くなるのを防ぎながら、均一化することが可能になった。また、これを実現するための複数の配線も、スルーホール電極を用いて行うので、コンパクトに納まり、拡散率可変ＬＥＤのＬＥＤ素子との一体化、小型化と共に生産管理も容易になった。尚、実施例２では、上側電極を同心円状に分離し、下側電極は、上側電極パターンの内、最も外周に配置する電極パターンと略同一の直径有する一枚から成る円形としたが、下側電極と上側電極を入れ替えても、その効果は全く同一である。
【実施例３】
【００６２】
次に、複数個のＬＥＤ素子を用いる場合を、図１１を用いながら実施例３としての説明をする。実施例３では、２個のＬＥＤ素子を使っているが、そのＬＥＤ素子は、青色ＬＥＤ素子４０１とＹＡＧ系の蛍光体入り樹脂４０２から成る白色発光部４０１Ｗと、赤色ＬＥＤ素子５０１である。実施形態で説明した通り、ＹＡＧは、イットリウムとアルミニウムの複合酸化物から成るガーネット構造の結晶で、青色ＬＥＤ素子４０１をこのＹＡＧ系の蛍光体入り樹脂４０２で覆い、波長変換された黄色と、透過してきた青色とを混色させて白色の発光を得ている。実施例３では、この白色発光に、更に、赤色ＬＥＤ素子５０１から発光する赤色を加えている。
【００６３】
白色光である自然太陽光は、図１２（a）に示した様に可視光線（波長が約３５０ｎｍ〜約７５０ｎｍ）の範囲では、各波長に対する相対照度が略均一に分布している。一方、図１２（ｂ）で示した青色＋ＹＡＧからの発光は、一見すると白色光のように見えるが、分光分布を自然太陽光のそれと比較すると、波長５００ｎｍと波長７００ｎｍ近くの光成分が欠落していて、微妙な色合いが異なり、自然太陽光より青白っぽく見える。実施例３では、この不具合を改良するため、最も改善効果の大きい波長７００ｎｍ近くに分光分布が多い赤色ＬＥＤ素子５０１を付加して、より自然太陽光に近づけている。そうすることで補助光による演色性が向上し、出来上がった写真もきれいに見える。
【００６４】
次に、実施例３の透明電極の説明を行う。図１１（ｃ）に示した様に、実施例３において調光板４０５に設けた透明導電膜である上側電極４１4Uの平面形状は、右側の赤色ＬＥＤ素子５０１上で、複数の同心円状に分離した複数の電極パターン（内側から外側に向けて、３１４CＲ１、３１４CＲ２、３１４CＲ３、３１４CＲ４、３１４CＲ５）と、左側の青色ＬＥＤ素子４０１上で、複数の同心円状に分離した複数の電極パターン（内側から外側に向けて、３１４CＬ１、３１４CＬ２、３１４CＬ３、３１４CＬ４、３１４CＬ５）とで合成する電極パターンから成る。尚、実施例３の下側電極の平面形状は図示を省略したが、電極パターン４１４Uの外形と略同一の単一の透明導電薄膜から成る。
【００６５】
次に実施例３の効果の説明を行う。実施例３の拡散率可変ＬＥＤを用いた補助光装置をカメラに装着することで、実施形態の場合の効果と同様に、ＣＣＤ素子を用いた補助光源からの光の拡散率を、ズーム情報に基づいて連続的に変化させながら被写体を照明することが可能になり、ズームレンズ付きカメラでの好適な写真撮影が可能となった。また、実施例３で示した拡散率可変ＬＥＤは、小型であるから、携帯電話やデジタルカメラにコンパクトに装着することが可能であり、実用性の高い補助光装置一体型のズームレンズ付きカメラが可能となった。また、実施例３の調光板により、実施形態の場合と同様、青色発光素子に関しては、点灯して無い時は、蛍光体の黄色が見えない効果を生じるが、実施例３で演色性を向上させるため新たに加えた赤色ＬＥＤ素子に関しても、赤色ＬＥＤ素子を点灯して無い時は目立ちやすい赤色を見えなくすることができた。また、点灯している時も、赤色を目立たなくする効果があった。また、実施例３の場合も、実施例２と同様に上側の透明電極を2個の同心円で合成したパターン状に設ける事で、上側電極への印加電圧値を素子の中心からの距離に応じて変えることが可能になり、その結果、液晶の配列が中心からの距離に応じて徐々に変化し、より細かく補助光の拡散度合いが調整できるので、発光がＬＥＤ素子の真上で強くなるのを防いで均一化することが可能になった。また、複数に分割された透明電極への配線も、スルーホール電極を用いるとコンパクトに纏まり、また、配線を含めた拡散率可変ＬＥＤのコンパクト化が可能になり、生産管理も容易になった。尚、実施例３では、上側電極を2個の同心円で合成したパターンに分離し、下側電極は、上電極パターン外形と略同一の直径有する一枚から成る円形としたが、下側電極と上側電極を入れ替えても、その効果は全く同一である。
【実施例４】
【００６６】
図面を省略したが、実施例４はＬＥＤ素子を３個使った場合であり、図１１を用いて説明した実施例３のＬＥＤ素子構成に、更に黄緑色ＬＥＤ素子または緑色ＬＥＤ素子を追加したものである。即ち、ＬＥＤ素子は、青色ＬＥＤ素子とＹＡＧから成る白色発光部と、赤色ＬＥＤ素子と、黄緑色ＬＥＤ素子または緑色ＬＥＤ素子から成る。尚、３個のＬＥＤ素子を用いる実施例４の場合には、調光板に用いる電極パターンは、３個のＬＥＤ素子の配置位置に合わせた３個の同心円の合成する電極パターンを用い、また、これを実現する配線も、スルーホール電極を用いて行った。
【００６７】
既に実施例３において図１２（a）を用いて説明した様に、自然太陽光は、可視光線の範囲では、各波長に対する相対照度が均一に分布している。一方、図１２（ｂ）で示した様に、青色＋ＹＡＧからの発光は、自然太陽光と比較すると、５００ｎｍと７００ｎｍ近傍の波長成分が欠落している。そこで、実施例３では、演色性向上の効果が大きい波長７００ｎｍ近くで発光する赤色ＬＥＤ素子を追加して設けたが、実施例４では、更に、黄緑色ＬＥＤ素子または緑色ＬＥＤ素子を用いて緑色光成分（波長５００ｎｍ近傍）を付加することで、より自然太陽光に近づけている。
【００６８】
次に実施例４の効果の説明を行う。この様な拡散率可変ＬＥＤを用いた補助光装置をカメラに装着することで、実施形態の場合と同様に、ＣＣＤ素子を用いた補助光源からの光の拡散率を、ズーム情報に基づいて連続的に変化させながら被写体を照明することが可能になり、ズームレンズ付きカメラでの好適な写真撮影が可能となった。また、拡散率可変ＬＥＤは、小型であるから、携帯電話やデジタルカメラにコンパクトに装着することが可能であり、実用性の高い補助光装置一体型のズームレンズ付きカメラが可能となった。また、この様に、拡散率可変ＬＥＤに赤色ＬＥＤ素子と共に黄緑色ＬＥＤ素子または緑色ＬＥＤ素子を備えた拡散率可変ＬＥＤを用いた場合、本発明の実施例４の調光板（図示省略）により、赤色ＬＥＤ素子に対しては、既に実施例３で説明した効果、即ち、赤色ＬＥＤ素子を点灯して無い時は目立ちやすい赤色を見えなくすることができる。また、点灯している時も、赤色を目立たなくする効果を生じると共に、黄緑色ＬＥＤ素子または緑色ＬＥＤ素子に対しては、黄緑色ＬＥＤ素子または緑色ＬＥＤ素子を点灯しない時はこれらの素子を見え難くする効果を生じる。
【００６９】
また、上側の透明電極を３個のＬＥＤ素子の配置位置に合わせた３個の同心円の合成する電極パターンに分離して設けたので、印加電圧の値を中心からの距離に応じて段階的に変ることで発光がＬＥＤ素子の真上で強くなるのを防ぎ、均一化することで、より細かく補助光の拡散度合いが調整できるようになった。これを実現する配線も、スルーホール電極を用いて行ったので、コンパクトに纏まり、一拡散率可変ＬＥＤの一体化が実現し、取り扱いが容易、生産管理も容易になった。
【実施例５】
【００７０】
図面を省略したが、実施例５の場合も実施例４と同様に、ＬＥＤ素子を３個使った場合であり、実施例４の構成要素の内、ＹＡＧ部分を除いて簡素化したものである。即ち、ＬＥＤ素子は、青色ＬＥＤ素子と、赤色ＬＥＤ素子と、黄緑色ＬＥＤ素子または緑色ＬＥＤ素子とから成る。其の他の構成は実施例４の場合と同一である。
【００７１】
実施例５の効果を、実施例４の場合の効果と比較すると、実施例５の場合ＹＡＧを設けないので、補助光の演色性に関しては実施例４よりやや劣るが、製造コストが低減されるという新たな効果を生じた。また、本発明の実施例４で説明した調光板を実施例５でも用いると、赤色ＬＥＤ素子に対しては、既に実施例４で説明した効果を生じると共に、実施例５で用いる黄緑色ＬＥＤ素子または緑色ＬＥＤ素子に対しては、黄緑色ＬＥＤ素子または緑色ＬＥＤ素子を点灯しない時はこれらの素子を見え難くする効果を生じた。
【００７２】
本発明全体の効果としては、以上説明した様に、ズームレンズ付きカメラの補助光装置として、上述した様な拡散率可変ＬＥＤを用いた補助光装置を装着することで、装着するカメラのズーム情報に基づいて上側電極への印加電圧値を変化させて、ＣＣＤ素子を用いた補助光源からの光の拡散率を、ズームに合わせて連続的に変化させながら被写体を照明することが可能になり、ズームレンズ付きカメラでの好適な写真撮影が可能となった。また、拡散率可変ＬＥＤは小型であるから携帯電話やデジタルカメラにコンパクトに装着することが可能であり、実用性の高い補助光装置一体型のズームレンズ付きカメラが可能となった。また、発光素子が点灯して無い時は、調光部が白くなって、発光素子が見えなくする効果も得られた。また、透明電極を同心円状に分離して設ける事で、より細かく補助光の拡散度合いを調整でき、発光が真中で強くなるのを防ぎながら、全体に渡って均一化することが可能になった。また、そのための配線も、スルーホール電極を用いることでコンパクトに納まり、拡散率可変ＬＥＤの小型化が実現すると共に生産管理も容易になった。また、青色ＬＥＤ素子とＹＡＧから成る白色発光部を基本形にして、それに、赤色ＬＥＤ素子や、黄緑色ＬＥＤ素子または緑色ＬＥＤ素子を適宜選択し、組み合わせながら追加することで、演色性向上を図ることが出来た。
【図面の簡単な説明】
【００７３】
【図１】本発明の実施形態における拡散率可変ＬＥＤの説明図で、図１（ａ）は拡散率可変ＬＥＤの縦断面図、図１（ｂ）は、図１（ａ）の拡散率可変ＬＥＤのＡ−Ａ断面図、図１（ｃ）は、図１（ａ）の拡散率可変ＬＥＤに用いる調光板の平面図、図１（ｄ）は、図１（ｃ）の調光板の一部拡大断面図である。
【図２】本発明の実施形態における拡散率可変ＬＥＤに用いる調光板への印加電圧用の配線説明図である。
【図３】本発明の実施形態における調光板の液晶層へ印加電圧を付加した場合の光線の透過、拡散説明図で、図３（ａ）は、液晶層へ印加電圧を加えない場合、図３（ｂ）は、液晶層へ印加電圧を加えた場合である。
【図４】本発明の実施形態における補助光装置の光拡散機能説明図で、図４（ａ）は、印加電圧がオフの場合、図４（ｂ）は、印加電圧がミドルの場合、図４（ｃ）は、印加電圧がハイの場合である。
【図５】本発明の実施例１における調光板を示し、図５（ａ）は調光板の平面図、図５（ｂ）は、図５（ａ）の調光板のＡ−Ａ断面図、図５（ｃ）は、図５（ｂ）の調光板のＢ部拡大図である。
【図６】本発明の実施例２における拡散率可変ＬＥＤを示し、図６（ａ）は拡散率可変ＬＥＤの縦断面図、図６（ｂ）は、図６（ａ）の拡散率可変ＬＥＤに用いた調光板の上部電極のパターン図、図６（ｃ）は、図６（ｂ）の調光板のＢ−Ｂ拡大断面図、図６（ｄ）は、図６（ａ）の拡散率可変ＬＥＤのＡ−Ａ断面図である。
【図７】本発明の実施例２に用いるスルーホール電極を有する反射枠の製造工程説明図で、図７（ａ）は反射枠用ブランクのダイシング加工時の斜視図、図７（ｂ）は、ダイシング加工済みの反射枠のスルーホール電極部拡大斜視図である。
【図８】本発明の実施例２のスルーホール電極用いた上側電極への配線パターンの平面図である。
【図９】本発明の実施例２の上側電極パターン、並びに下側電極パターンへの印加電圧用配線説明図である。
【図１０】本発明の実施例２における印加電圧と液晶層の説明図で、図１０（ａ）は、印加電圧特性図、図１０（ｂ）は、図１０（ａ）の印加電圧特性に対応する調光板の液晶層の断面模式図である。
【図１１】本発明の実施例３における拡散率可変ＬＥＤを示し、図１１（ａ）は拡散率可変ＬＥＤの縦断面図、図１１（ｂ）は、図１１（ａ）の拡散率可変ＬＥＤのＡ−Ａ断面図、図１１（ｃ）は図１１（ａ）の拡散率可変ＬＥＤに用いた調光板の上部電極のパターン図である。
【図１２】本発明の実施例３、実施例４における分光分布の模式説明図で、図１２（a）は、自然太陽光の分光分布を、図１２（ｂ）は、実施例３において拡散率可変ＬＥＤの発光素子として、青色＋ＹＡＧを用いた場合の分光分布を、図１２（ｃ）は、実施例４において拡散率可変ＬＥＤの発光素子として、青色＋ＹＡＧと共に、赤色ＬＥＤ素子並びに黄緑色ＬＥＤ素子または緑色ＬＥＤ素子を用いた場合の分光分布である。
【図１３】背景技術において、ズームレンズ付きカメラの補助光源用にＬＥＤを用いたカメラの模式平面図である。
【図１４】背景技術において、ＬＥＤを補助光源に用いたカメラの補助光装置の動作説明図である。
【符号の説明】
【００７４】
１００、３００  拡散率可変ＬＥＤ
１０１、３０１、４０１、  青色ＬＥＤ素子
１０１Ｗ、３０１Ｗ、４０１Ｗ  白色発光部
１０２、３０２、４０２  蛍光体入り樹脂
１０３、３０３、４０３  基板
１０４、３０４、４０４  反射枠
１０４H、３０１Ｈ、４０４Ｈ  円錐穴
１０５、２０５、３０５、４０５  調光板
１１０、２１０、３１０、４１０  調光部
１１4U、３１４U、４１４U  上側電極
１１４Ｄ、３１４Ｄ  下側電極
１２０  液晶層
３１４Ｃ１、３１４Ｃ２、３１４Ｃ３、３１４Ｃ４、３１４Ｃ５  電極パターン
３１４Ｔ、３１４Ｔ１、３１４Ｔ２、３１４Ｔ３、３１４Ｔ４、３１４Ｔ５、３１４ＴＤ、３１４ＴＹ１、３１４ＴＹ２  スルーホール電極
４１４ＣＲ１、４１４ＣＲ２、４１４ＣＲ３、４１４ＣＲ４、４１４ＣＲ５  電極パターン
４１４ＣＬ１、４１４ＣＬ２、４１４ＣＬ３、４１４ＣＬ４、４１４ＣＬ５  電極パターン
４１４ＣＵＬ、４１４ＵＲ  電極パターン
５０１  赤色ＬＥＤ素子
９００  補助光装置
【図１】
2008281600.tif 000003
【図２】
2008281600.tif 000004
【図３】
2008281600.tif 000005
【図４】
2008281600.tif 000006
【図５】
2008281600.tif 000007
【図６】
2008281600.tif 000008
【図７】
2008281600.tif 000009
【図８】
2008281600.tif 000010
【図９】
2008281600.tif 000011
【図１０】
2008281600.tif 000012
【図１１】
2008281600.tif 000013
【図１２】
2008281600.tif 000014
【図１３】
2008281600.tif 000015
【図１４】
2008281600.tif 000016